(57)【要約】【課題】使用者の足が常に安全かつ清潔な状態を維持し得る靴を提供する。【解決手段】本発明に係る靴１００は、紐１４２を用いた締め上げ部１４を有する靴本体１と、当該靴本体１に分離不能に設けられ前記靴本体１に密着して前記締め上げ部１４を被覆する被覆姿勢（ｃ）及び前記締め上げ部１４を開放する開放姿勢（ｏ）を取り得る被覆部材２とを具備することを特徴とする。そうすることにより、使用者がカバーを紛失することなく、カバーの取り付け取り外しの手間を有効に削減して、常に締め上げ部１４を被覆しやすいものとすることができ、結果として使用者が締め上げ部１４を被覆することに対して細心の注意を払わなければならない作業場においても使用者が好適に適用し得る靴１００を提供することができる。【選択図】図３
2010124833.tif 000002
【特許請求の範囲】
【請求項１】
紐を用いた締め上げ部を有する靴本体と、
当該靴本体に分離不能に設けられ前記靴本体に密着して前記締め上げ部を被覆する被覆姿勢及び前記締め上げ部を開放する開放姿勢を取り得る被覆部材とを具備することを特徴とする靴。
【請求項２】
前記靴本体が使用者の足上面を覆うアッパー部と、前記締め上げ部の下側に位置づけられた舌部とを有するものであり、
前記被覆部材をアッパー部に設けている請求項１記載の靴。
【請求項３】
前記靴本体が使用者の足上面を覆うアッパー部と、前記締め上げ部の下側に位置づけられた舌部とを有するものであり、
前記被覆部材を舌部に設けている請求項１又は２記載の靴。
【発明の詳細な説明】
【技術分野】
【０００１】
本発明は、主に作業場等で用いられる靴に関するものである。
【背景技術】
【０００２】
従来、紐を用いたいわゆる紐靴が広く用いられており、中でも作業用の靴や運動靴等では紐で使用者の足にずれることなく確実に装着し得るため特に好適に用いられている。他方、このような紐靴において、紐及び紐を通すための孔から雨や泥、ホコリなどが浸入することを防ぐことや、結んだ紐の末端を引っ掛けることを防ぐために靴に装着し得る別体のカバーが種々提案されている（特許文献１参照）。
【特許文献１】実開平７−１１９１０号公報
【発明の開示】
【発明が解決しようとする課題】
【０００３】
しかしながら、作業場で行われる作業によっては上述したような紐及び紐を通すための孔から雨や泥、ホコリなどが浸入することを防ぐことや、結んだ紐の末端を引っ掛けることに対して特に細心の注意を払わなければならない。そのような場合において、上記特許文献に示したようなものでは、使用者に別体のカバーの着脱操作を常に要求するものであるため煩雑であり、また、別体のカバーを紛失してしまった場合にはカバーのない状態で使用しなければならない、ということが起こり得る。
【０００４】
そこで本発明は上記のような課題に着目したものであり、使用者の足が常に安全かつ清潔な状態を維持し得る靴を提供する。
【課題を解決するための手段】
【０００５】
以上のような課題を解決するためになされた本発明に係る靴は、紐を用いた締め上げ部を有する靴本体と、当該靴本体に分離不能に設けられ前記靴本体に密着して前記締め上げ部を被覆する被覆姿勢及び前記締め上げ部を開放する開放姿勢を取り得る被覆部材とを具備する。
【０００６】
このようなものであれば、被覆部材を靴本体に分離不能に設けているので、使用者がカバーを紛失することなく、カバーの取り付け取り外しの手間を有効に削減して、常に締め上げ部を被覆しやすいものとすることができる。そうすることにより、上述したような使用者が締め上げ部を被覆することに対して細心の注意を払わなければならない作業場においても使用者が好適に適用し得る靴を提供することができる。
【０００７】
前記靴本体が使用者の足上面を覆うアッパー部と、前記締め上げ部の下側に位置づけられた舌部とを有するものであり、前記被覆部材をアッパー部に設けているものであれば、締め上げ部近傍の任意の位置で被覆部材を分離不能に設けることができるので被覆部材を設ける設計自由度が高いものとなる。
【０００８】
他方、前記被覆部材を舌部に設けているものであれば、舌部を延長させることによって被覆部材とすることができるので容易に本発明を実現することができる。
【発明の効果】
【０００９】
本発明によれば、被覆部材を有することにより、常に締め上げ部を被覆しやすいものとすることができる。その結果として、使用者が締め上げ部を被覆することに対して細心の注意を払わなければならない作業場においても使用者が好適に適用し得る靴を提供することができる。
【発明を実施するための最良の形態】
【００１０】
以下、本発明の実施の形態を、図面を参照して説明する。
【００１１】
本実施形態に係る靴１００は、例えば工場などの作業場において好適に用いられるものであり、図１乃至図３に示すように、靴本体１と被覆部材２と面ファスナ３とを有しているものである。
【００１２】
ここで、本実施形態に係る靴１００は、図１乃至図３に示すように、紐１４２を用いた締め上げ部１４を有する靴本体１と、当該靴本体１に分離不能に設けられ前記靴本体１に密着して前記締め上げ部１４を被覆する被覆姿勢（ｃ）及び前記締め上げ部１４を開放する開放姿勢（ｏ）を取り得る被覆部材２とを具備することを特徴とするものである。
【００１３】
靴本体１は、図１乃至図３に示すように、靴底１１とアッパー部１２と舌部１３と上述した締め上げ部１４とを主に有するものである。アッパー部１２は、使用者の足の上面側を略覆うものであって、幅方向中央において上側を切り欠いた切欠部１２ａを設け、当該切欠部１２ａの周縁の位置に後述する紐挿通孔１４１を設けている。なお、アッパー部１２を構成する素材並びにアッパー部１２の具体的な形状は、既存の種々の態様を採用することができる。舌部１３は、当該切欠部１２ａのよりもややつま先寄りの位置から切欠部１２ａ並びに紐挿通孔１４１の下側を覆うように延伸させて先端側をアッパー部１２からやや露出するように設けている。締め上げ部１４は、上述した紐挿通孔１４１と紐１４２を有しており、最上部の紐挿通孔１４１付近で紐１４２を結ぶことによってアッパー部１２を使用者の足に密着させるものである。なお、この締め上げ部１４の態様は、例えば紐挿通孔１４１の代わりにＤリングや部分的にフックを採用したり、種々の素材の紐を採用したりする等、既存の種々の態様を採用することができる。もちろん、靴底１１においても既存の種々の態様を採用することができる。また本実施形態では靴本体１の一例として丈が踝下までのローカットタイプの靴を開示したが、本発明では、図示のローカットタイプのみならず、足首を覆い得るハイカットタイプの靴や、膝下までの丈を有するブーツタイプのものとするなど、既存の種々の態様をなす紐靴を、靴本体１として適用することが可能である。
【００１４】
被覆部材２は、図１乃至図３に示すように、被覆姿勢（ｃ）において締め上げ部１４を略覆い得る被覆部材本体２１と、本実施形態では切欠部１２ａよりもややつま先寄りの上側においてアッパー部１２に固定される固定部２２とを有している。
【００１５】
面ファスナ３は、図３に示すように、アッパー部１２に設けたループ面３１と、被覆部材２に設けたフック面３２とを有するものである。ループ面３１は、本実施形態では被覆部材２の固定部２２の近傍からアッパー部１２における紐挿通孔１４１の両側に沿ってそれぞれ伸びるように設けられている。フック面３２は、被覆部材２の固定部２２の近傍から被覆部材２の両側縁に沿ってそれぞれ伸びるように設けられている。そして、これらループ面３１とフック面３２とは被覆部材２を被覆姿勢（ｃ）とした場合にそれぞれ重なり合うように設定しているが、例えば、ループ面３１をフック面３２に対して幅広なものとして、被覆部材２の多少の位置ずれを許容し得るものであってもよい。
【００１６】
しかして本実施形態に係る靴１００は、上述の通り、被覆部材２を靴本体１に密着して締め上げ部１４を被覆する被覆姿勢（ｃ）と、締め上げ部１４を開放させて露出した状態とする開放姿勢（ｏ）とを取り得るものとしている。図１及び図２に示す被覆姿勢（ｃ）においては、被覆部材２の縁部の略全域において靴本体１に密着しているので、締め上げ部１４の紐１４２が確実に被覆され、外部からの泥やほこりが紐１４２に付着したり、紐挿通孔１４１からアッパー部１２の内部に浸入したりすることを有効に回避したものとなっている。そして、被覆部材２の上側をつまむ等して靴本体１から離間させると、図３に示すような開放姿勢（ｏ）となり、この開放姿勢（ｏ）では通常の靴１００と同様に紐１４２を結ぶ動作やほどく作業ができる。
【００１７】
以上のように、本実施形態に係る靴１００は、被覆部材２を靴本体１に分離不能に設けているので、使用者が従来のようにカバーを紛失することなく、カバーの取り付け取り外しの手間を有効に削減して、常に締め上げ部１４を被覆しやすいものとすることができる。そうすることにより、上述したような使用者が締め上げ部１４に泥やホコリが付着することや紐１４２を障害物に引っ掛けてしまうといったことに対して細心の注意を払わなければならない作業場においても、使用者が好適に適用し得る靴１００を提供することができる。また、本実施形態では、固定部２２を切欠部１２ａよりもややつま先寄りの上側に設け、その他の被覆部材２が靴本体１に対して離間し得るように設けているので、開放姿勢（ｏ）とした場合には、最も上部の紐挿通孔１４１と被覆部材２とを十分に離間させることができるものであるので、開放姿勢（ｏ）における紐１４２の取扱時に被覆部材２が干渉し難いものとなっている。
【００１８】
もちろん、固定部２２は図示の態様に限られず例えば締め上げ部１４よりも内側に設けるとともに開放姿勢（ｏ）において締め上げ部１４の外側を大きく開放し得るものとしてもよい。
【００１９】
＜変形例＞
以下に本実施形態の変形例を図４及び図５に示す。なお、以下の変形例において上記実施形態に対応する構成要素には同様の符号に「Ａ」を付して示すものとし、具体的な説明を省略する。
【００２０】
本変形例に係る靴Ａ１００は、上記実施形態と同様、靴本体Ａ１と被覆部材Ａ２と面ファスナＡ３とを有するものとしているが、本変形例では被覆部材Ａ２を靴本体Ａ１の舌部Ａ１３を延伸させることにより設けたものとしている。
【００２１】
舌部Ａ１３は、上記実施形態と同様に、切欠部Ａ１２ａよりもややつま先寄りの位置から切欠部Ａ１２ａ並びに紐挿通孔Ａ１４１の下側を覆うように延伸させているものであるが、本変形例では、先端側をアッパー部Ａ１２から折り返し部Ａ１３１を介してさらに下側すなわちつま先側へ延伸させるように設けている。
【００２２】
すなわち、本変形例に係る被覆部材Ａ２は、舌部Ａ１３における折り返し部Ａ１３１よりもアッパー部Ａ１２からさらに延伸させた締め上げ部Ａ１４を覆い得る部位に被覆部材本体Ａ２１を形成したものである。
【００２３】
面ファスナＡ３は、上記実施形態と同様に、アッパー部Ａ１２に設けたループ面Ａ３１と、被覆部材Ａ２に設けたフック面Ａ３２とを有するものである。ループ面Ａ３１は、本変形例では被覆部材Ａ２のアッパー部Ａ１２における紐挿通孔Ａ１４１の両側及びつま先側に沿って概略Ｕ字状に伸びるように設けられている。フック面Ａ３２は、被覆部材Ａ２の折り返し部Ａ１３１の近傍から被覆部材Ａ２の縁部に沿ってそれぞれ伸びるように設けられている。そして、これらループ面Ａ３１とフック面Ａ３２とは被覆部材Ａ２を被覆姿勢（ｃ）とした場合にそれぞれ重なり合うように設定しているが、上記実施形態と同様、ループ面Ａ３１をフック面Ａ３２に対して幅広なものとして、被覆部材Ａ２の多少の位置ずれを許容し得るものであってもよい。
【００２４】
しかして本変形例に係る靴Ａ１００においても、上記実施形態と同様の被覆姿勢（ｃ）と開放姿勢（ｏ）とを取り得るものとしている。図４に示す被覆姿勢（ｃ）においては、被覆部材Ａ２の縁部の略全域において靴本体Ａ１に密着しているので、締め上げ部Ａ１４の紐Ａ１４２が確実に被覆され、外部からの泥やほこりが紐Ａ１４２に付着したり、紐挿通孔Ａ１４１からアッパー部Ａ１２の内部に浸入したりすることを有効に回避している。そして、被覆部材Ａ２の下側をつまむ等して靴本体Ａ１から離間させると、図５に示すような開放姿勢（ｏ）となり、この開放姿勢（ｏ）では通常の靴Ａ１００と同様に紐Ａ１４２を取り扱うことができる。
【００２５】
また本変形例では、被覆部材Ａ２の折り返し部Ａ１３１を介して下側へ延伸させたものとなっており、締め上げ部Ａ１４への上側からの泥や水の浸入を面ファスナＡ３ではなく折り返し部Ａ１３１によって防止しているため、より確実に上側からの泥や水の浸入を防ぎ得るものとなっている。
【００２６】
以上、本実施形態及び変形例について詳述したが、本発明は上記実施形態及び変形例に限定されるものではなく、その他各部の具体的構成は、本発明の趣旨を逸脱しない範囲で種々変形が可能である。
【００２７】
例えば、上記実施形態及び変形例では、作業用の靴に本発明を適用した例を開示したが、本発明は作業用の靴に限らずスポーツ用の靴やその他の用途の靴に広く適用することも可能である。
【００２８】
また、上記実施形態及び変形例では、面ファスナを用いて被覆部材を被覆姿勢とするものとしたが、例えばボタンやファスナ等の密着させ得る手段を用いることも可能である。
【図面の簡単な説明】
【００２９】
【図１】本発明の実施形態に係る靴を示す外観図。
【図２】同実施形態における靴の被覆姿勢を示す側面図。
【図３】同実施形態における靴の開放姿勢を示す側面図。
【図４】本発明の実施形態の変形例に係る靴の被覆姿勢を示す側面図。
【図５】同変形例における靴の開放姿勢を示す側面図。
【符号の説明】
【００３０】
１００、Ａ１００…靴
１、Ａ１…靴本体
１２、Ａ１２…アッパー部
１３、Ａ１３…舌部
１４、Ａ１４…締め上げ部
１４２、Ａ１４２…紐
２、Ａ２…被覆部材
ｃ…被覆姿勢
ｏ…開放姿勢
【図１】
2010124833.tif 000003
【図２】
2010124833.tif 000004
【図３】
2010124833.tif 000005
【図４】
2010124833.tif 000006
【図５】
2010124833.tif 000007